(57)【要約】【課題】  波形データと解析結果とを同時に表示しても、波形観測・解析を容易に行うことができる波形表示装置および波形表示方法を実現することを目的にする。【解決手段】  本発明は、被測定波形を測定した波形データと波形データを解析した解析結果とを表示部に表示する波形表示装置に改良を加えたものである。本装置は、表示部に表示される解析結果の項目数によって波形データが表示される領域を振幅方向に縮小して表示する領域縮小手段を設けたことを特徴とするものである。【選択図】                    図１
2005227052.tif 000002
【特許請求の範囲】
【請求項１】
被測定波形を測定した波形データと前記波形データを解析した解析結果とを表示部に表示する波形表示装置において、
前記表示部に表示される解析結果の項目数によって前記波形データが表示される領域を振幅方向に縮小して表示する領域縮小手段を設けたことを特徴とする波形表示装置。
【請求項２】
被測定波形を測定した波形データと前記波形データを解析した解析結果とを表示部に表示する波形表示装置において、
前記波形データが表示される領域の振幅方向の幅を設定する設定部と、
この設定部で設定される幅に基づいて前記波形データが表示される領域を振幅方向に縮小して表示する領域縮小手段と
を設けたことを特徴とする波形表示装置。
【請求項３】
被測定波形を測定した波形データと前記波形データを解析した解析結果とを表示部に表示する波形表示装置において、
前記波形データが表示される領域の振幅方向の幅を設定する設定部と、
この設定部で幅が設定される場合、設定される幅に基づいて前記波形データが表示される領域を振幅方向に縮小して表示し、前記設定部で幅が設定されない場合、前記表示部に表示される解析結果の項目数によって前記波形データが表示される領域を振幅方向に縮小して表示する領域縮小手段と
を設けたことを特徴とする波形表示装置。
【請求項４】
波形測定装置に用いることを特徴とする請求項１〜３のいずれかに記載の波形表示装置。
【請求項５】
被測定波形を測定した波形データと前記波形データを解析した解析結果とを表示部に表示する波形表示方法において、
前記表示部に表示される解析結果の項目数によって前記波形データが表示される領域を振幅方向に縮小して表示することを特徴とする波形表示方法。
【請求項６】
被測定波形を測定した波形データと前記波形データを解析した解析結果とを表示部に表示する波形表示方法において、
設定部が前記波形データが表示される領域の振幅方向の幅を設定し、
この設定部で設定される幅に基づいて前記波形データが表示される領域を振幅方向に縮小して表示することを特徴とする波形表示方法。
【請求項７】
被測定波形を測定した波形データと前記波形データを解析した解析結果とを表示部に表示する波形表示方法において、
設定部が前記波形データが表示される領域の振幅方向の幅を設定し、
この設定部で幅が設定される場合、設定される幅に基づいて前記波形データが表示される領域を振幅方向に縮小して表示し、前記設定部で幅が設定されない場合、前記表示部に表示される解析結果の項目数によって前記波形データが表示される領域を振幅方向に縮小して表示することを特徴とする波形表示方法。
【発明の詳細な説明】
【技術分野】
【０００１】
本発明は、被測定波形を測定した波形データと波形データを解析した解析結果とを表示部に表示する波形表示装置および波形表示方法に関し、詳しくは、波形データと解析結果とを同時に表示しても、波形観測・解析を容易に行うことができる波形表示装置および波形表示方法に関するものである。
【背景技術】
【０００２】
波形表示装置は、波形測定装置（例えば、デジタルオシロスコープ）に用いられ、被測定波形を測定してデジタル信号の波形データに変換し、データ記憶部であるアクイジョンメモリに格納する。そして、アクイジョンメモリに格納した波形データの解析を行うと共に、この解析結果および波形データを表示処理部を介して表示部の表示画面に波形表示するように構成されたものであり、各種分野の研究開発、品質管理、保守作業等において広く使用されている（例えば、特許文献１参照）。
【０００３】
図７は、従来の波形表示装置の構成を示した図である。
図７において、測定部１０は、被測定波形が入力され、被測定波形を測定した波形データを出力する。なお、測定部１０は、複数の被測定波形を同時に測定するため、複数チャネル分設けられるが、１チャネル分のみ図示している。
【０００４】
アクイジョンメモリ２０は、データ記憶部であり、測定部１０からの波形データを格納する。表示処理部３０は、解析手段３１を有し、アクイジョンメモリ２０の波形データや波形データの解析結果を所望の形式の表示データに変換して出力する。解析手段３１は、波形データの解析を行う。表示部４０は、表示処理部３０から出力された表示データを表示画面に表示する。
【０００５】
設定部５０は、ボタンやロータリーノブ等であり、ユーザがこれらを操作することによって波形解析を行う項目の設定が行われ、各設定を表示処理部３０に出力する。ここで、波形解析の説明をする。図８は、複数ある波形解析の項目うち、代表的な項目を説明した図である。図８（ａ）は電圧軸に関する解析項目であり、図８（ｂ）は時間軸に関する解析項目である。また、電圧軸は波形の振幅方向となる縦軸であり、時間軸は横軸である。
【０００６】
図８（ａ）において、「P-P」はpeak-to-peak値（Max−Min）であり、「Max」は最大電圧値であり、「Min」は最小電圧値であり、「High」は信号がハイレベルにおける電圧であり、「Low」は信号がロウレベルにおける電圧であり、「+Ovr」はオーバーシュート量（（Max−High）/（High−Low）×100）であり、「-Ovr」はアンダーシュート量（（Low−Min）/（High−Low）×100）であり、「Amp」は振幅（High−Low）である。
【０００７】
続いて、図８（ｂ）において、「Rise」は波形がプロキシマルラインからディスタルラインに達するまでの立上がり時間であり、「Fall」は波形がディスタルラインからプロキシマルラインに達するまでの立下がり時間であり、「Freq」は波形の周波数（1/Prod）であり、「Prod」は波形の周期であり、「+Wd」は波形がメシアルラインと交差するメシアル値以上の時間幅であり、「-Wd」はメシアル値以下の時間幅である。
【０００８】
もちろん、図８に示す以外にも、波形が図示しないカーソルと交差する点における電圧値の解析や、図示しないカーソル間の電圧幅、時間幅の解析等と多数あるが説明を省略する。このような波形解析は、ユーザが波形観測・波形解析をするための有効なツールとして多数用意されている。そして近年は、ユーザからの要望によって波形解析の項目が急激に増加している。
【０００９】
このような装置の動作を説明する。
測定部１０の図示しないＡＤ変換器が、被測定波形をデジタル信号に変換し、波形データとしてアクイジョンメモリ２０に格納する。そして、表示処理部３０が、アクイジョンメモリ２０から波形データを読み出し、表示部４０の表示画面に各チャネルの波形データやチャネル間で演算した波形データ（例えば、チャネル１の波形データとチャネル２の波形データとを加算したもの）を波形表示する。
【００１０】
さらに、ユーザが設定部５０から波形データの解析の設定を行う。前述した項目のうち必要な項目のみを選択するとよい。この設定に従って表示処理部３０の解析手段３１が、波形データ（演算後の波形データも含む）の波形解析を行う。そして、表示処理部３０が、波形データと共に解析結果を表示部４０の表示画面に表示する。
【００１１】
次に、図７に示す装置における表示部４０の表示画面の表示例を説明する。図９は、波形データと解析結果とを重ねて表示させた表示例（例えば、特許文献１参照）であり、図１０は、波形データと解析結果とを別々に表示させた表示例（例えば、特許文献２参照）である。
【００１２】
図９、図１０において、表示画面の中央に波形データと解析結果とを表示する領域であるデータ表示ウィンドウ１００が表示される。このデータ表示ウィンドウ１００の外側の上下には、装置の情報、測定条件等が表示される。また、表示ウィンドウ１００の外側の右には、測定条件の設定や波形解析の設定を行うためのメニューが表示される。また、近年は表示画面をカラー表示することが多く、データ表示ウィンドウ１００とそれ以外の部分とは、背景色を変えて（例えば、データ表示ウィンドウ１００を黒、それ以外の部分を青）表示している。
【００１３】
そして、データ表示ウィンドウ１００内には、波形データが表示される領域である波形表示ウィンドウ１０１と、解析結果が表示される領域である解析結果表示ウィンドウ（枠は表示されていない）１０２とが設けられる。波形表示ウィンドウ１０１は、複数の波形データを見やすく表示するため、振幅方向にさらに４分割して波形表示する例を示している。また、分割された各領域で、波形データの波形表示、波形表示中のチャネル番号、振幅方向の軸データ（スケール等）が表示される。
【００１４】
解析結果表示ウィンドウ１０２は、設定された項目の解析結果（図９、図１０中、チャネル番号１、２それぞれの「P-P」、「Amp」、「Max」）が表示される。そして、図９ではデータ表示ウィンドウ１００の下方に重ねて表示している。また、図１０では、波形表示ウィンドウ１０１と解析結果表示ウィンドウ１０２とを別々に表示している。なお、図１０に示す別々の表示例では解析結果表示ウィンドウ１０２の高さ方向の縦幅が固定となる。これは、解析結果を表示できる最大数があらかじめ定められており、この最大数分の解析結果を表示できる幅となっている。
【００１５】
【特許文献１】特開２００３−１８５６８１号公報（段落番号００１７−００３５、第１−２、４−５図）
【特許文献２】特開２０００−２０６１６０号公報（段落番号００４５−００４７、第５図）
【発明の開示】
【発明が解決しようとする課題】
【００１６】
しかしながら、図９に示すように、波形表示ウィンドウ１０１をデータ表示ウィンドウ１００と同じ大きさで表示し、解析結果表示ウィンドウ１０２を波形表示ウィンドウ１０１と重ねて表示すると、波形データの波形、軸データ、解析結果が重なり見づらくなる部分が生じ、波形観測・解析を行い難いという問題があった。
【００１７】
一方、図１０に示すように、波形表示ウィンドウ１０１と解析結果表示ウィンドウ１０２とを別々に表示すれば重なるという問題は発生しない。しかしながら、ウィンドウ１０１、１０２の高さ方向の分割比は、解析結果の項目数に関わり無く固定となっている。そのため、例えば、解析結果が２行分だけの表示であっても、図９と比較して波形表示ウィンドウ１０１が振幅方向に非常に圧縮され、波形が見づらくなり、波形観測・解析を行い難いという問題があった。
【００１８】
そこで本発明の目的は、波形データと解析結果とを同時に表示しても、波形観測・解析を容易に行うことができる波形表示装置および波形表示方法を実現することにある。
【課題を解決するための手段】
【００１９】
請求項１記載の発明は、
被測定波形を測定した波形データと前記波形データを解析した解析結果とを表示部に表示する波形表示装置において、
前記表示部に表示される解析結果の項目数によって前記波形データが表示される領域を振幅方向に縮小して表示する領域縮小手段を設けたことを特徴とするものである。
【００２０】
請求項２記載の発明は、
被測定波形を測定した波形データと前記波形データを解析した解析結果とを表示部に表示する波形表示装置において、
前記波形データが表示される領域の振幅方向の幅を設定する設定部と、
この設定部で設定される幅に基づいて前記波形データが表示される領域を振幅方向に縮小して表示する領域縮小手段と
を設けたことを特徴とするものである。
【００２１】
請求項３記載の発明は、
被測定波形を測定した波形データと前記波形データを解析した解析結果とを表示部に表示する波形表示装置において、
前記波形データが表示される領域の振幅方向の幅を設定する設定部と、
この設定部で幅が設定される場合、設定される幅に基づいて前記波形データが表示される領域を振幅方向に縮小して表示し、前記設定部で幅が設定されない場合、前記表示部に表示される解析結果の項目数によって前記波形データが表示される領域を振幅方向に縮小して表示する領域縮小手段と
を設けたことを特徴とするものである。
【００２２】
請求項４記載の発明は、請求項１〜３のいずれかに記載の発明において、
波形測定装置に用いることを特徴とするものである。
【００２３】
請求項５記載の発明は、
被測定波形を測定した波形データと前記波形データを解析した解析結果とを表示部に表示する波形表示方法において、
前記表示部に表示される解析結果の項目数によって前記波形データが表示される領域を振幅方向に縮小して表示することを特徴とするものである。
【００２４】
請求項６記載の発明は、
被測定波形を測定した波形データと前記波形データを解析した解析結果とを表示部に表示する波形表示方法において、
設定部が前記波形データが表示される領域の振幅方向の幅を設定し、
この設定部で設定される幅に基づいて前記波形データが表示される領域を振幅方向に縮小して表示することを特徴とするものである。
【００２５】
請求項７記載の発明は、
被測定波形を測定した波形データと前記波形データを解析した解析結果とを表示部に表示する波形表示方法において、
設定部が前記波形データが表示される領域の振幅方向の幅を設定し、
この設定部で幅が設定される場合、設定される幅に基づいて前記波形データが表示される領域を振幅方向に縮小して表示し、前記設定部で幅が設定されない場合、前記表示部に表示される解析結果の項目数によって前記波形データが表示される領域を振幅方向に縮小して表示することを特徴とするものである。
【発明の効果】
【００２６】
本発明によれば、以下のような効果がある。
請求項１、３によれば、領域縮小手段が、解析結果の項目数によって、解析結果を表示する領域が必要とする高さ方向の縦幅を求めて、この縦幅分だけ波形データを表示する領域を振幅方向に縮小して表示するので、波形データを表示する領域と解析結果を表示する領域とを重ねずに上下に整列して表示することができる。これにより、ユーザが頻繁に解析結果の項目数を変更しても、波形データの波形、軸データ、解析結果が重なることがない。また、波形データが振幅方向に不必要に縮小されることがない。従って、波形データと解析結果とを同時に表示しても、波形データ、解析結果が見やすく、波形観測・解析を容易に行うことができる
【００２７】
請求項２、３によれば、領域縮小手段が、設定部で設定される幅に基づいて波形データが表示される領域を振幅方向に縮小して表示するので、ユーザの希望しない大きさに波形データの振幅方向が縮小されることがない。従って、波形データと解析結果とを同時に表示しても、波形観測・解析を容易に行うことができる
【００２８】
請求項４によれば、例えば、デジタルオシロスコープを始めとする波形測定装置に用いられるので、波形データの波形、波形解析の解析結果が見やすくなり、波形観測・解析を容易に行うことができる。
【００２９】
請求項５、７によれば、解析結果の項目数によって、解析結果を表示する領域が必要とする高さ方向の縦幅を求めて、この縦幅分だけ波形データを表示する領域を振幅方向に縮小して表示するので、波形データを表示する領域と解析結果を表示する領域とを重ねずに上下に整列して表示することができる。これにより、ユーザが頻繁に解析結果の項目数を変更しても、波形データの波形、軸データ、解析結果が重なることがない。また、波形データが振幅方向に不必要に縮小されることがない。従って、波形データと解析結果とを同時に表示しても、波形データ、解析結果が見やすく、波形観測・解析を容易に行うことができる
【００３０】
請求項６、７によれば、設定部で設定される幅に基づいて波形データが表示される領域を振幅方向に縮小して表示するので、ユーザの希望しない大きさに波形データの振幅方向が縮小されることがない。従って、波形データと解析結果とを同時に表示しても、波形観測・解析を容易に行うことができる。
【発明を実施するための最良の形態】
【００３１】
以下図面を用いて本発明の実施の形態を説明する。
［第１の実施例］
図１は本発明の第１の実施例を示す構成図である。ここで、図７と同一のものは同一符号を付し、説明を省略する。図１において、表示処理部３０の代わりに表示処理部６０が設けられる。表示処理部６０は、解析手段６１、領域縮小手段６２を有し、アクイジョンメモリ２０から波形データを読み出す。また、設定部５０から波形解析の設定が行われる。そして、表示処理部６０は、波形データや波形データの解析結果を所望の形式の表示データに変換し、この表示データを表示部４０の表示画面に表示する。
【００３２】
解析手段６１は、設定部５０の設定に従って波形データの解析を行う。領域縮小手段６２は、解析手段６１が解析し、表示部４０に表示される解析結果の項目数によって波形データが表示される波形表示ウィンドウ１０１を振幅方向に縮小して表示する。
【００３３】
このような装置の動作を説明する。また、図２、図３は、図１に示す装置における表示部４０の表示画面の表示例を示した図である。ここで、図９、図１０と同一のものは同一符号を付し、説明を省略する。図２は、解析結果が２行分表示される例であり、図３は解析結果が５行分表示される例である。
【００３４】
測定部１０の図示しないＡＤ変換器が、被測定波形をデジタル信号に変換し、波形データとしてアクイジョンメモリ２０に格納する。そして、表示処理部６０が、アクイジョンメモリ２０から波形データを読み出し、表示部４０の表示画面に各チャネルの波形データやチャネル間で演算した波形データ（例えば、チャネル１の波形データとチャネル２の波形データとを加算したもの）を波形表示する。
【００３５】
さらに、ユーザが設定部５０から波形データの波形解析の設定を行う。この設定に従って表示処理部６０の解析手段６１が、波形データ（演算後の波形データも含む）の波形解析を行う。また、領域縮小手段６２が、解析結果の項目をカウントして項目数を求める。さらに、項目数から解析結果の表示に何行分必要かを求める。
【００３６】
例えば、図２では解析結果が、チャネル番号１、２それぞれの「P-P」、「Amp」、「Max」であり、項目数が６個となっている。従って、表示するのに必要な行数は２行分となる。また、図３では解析結果が、チャネル番号１の「P-P」、「Amp」、「Max」、「Min」、「High」、「Low」、「+Ovr」、「Rise」、「Fall」、「Freq」、「Prod」、「+Wd」、チャネル番号２の「P-P」、「Amp」、「Max」であり、項目数が１５個となるので５行分となる。なお、１行あたり３項目表示できる場合を例として示している。
【００３７】
そして領域縮小手段６２が、求めた行数から解析結果表示ウィンドウ１０２の高さ求める。さらに求めた高さから波形表示ウィンドウ１０１を振幅方向に縮小して波形表示する。そして、データ表示ウィンドウ１００に、波形表示ウィンドウ１０１、解析結果表示ウィンドウ１０２を重ねずに上下に整列して表示し、波形データと共に解析結果を表示部４０の表示画面に表示する。なお、データ表示ウィンドウ１００の右に表示されるメニュー部分に、領域縮小手段６２が自動的に調整したことを示す「AUTO」を表示しておくと、ユーザが確認がしやすくなる。
【００３８】
このように、領域縮小手段６２が、解析結果の項目数によって、解析結果表示ウィンドウ１０２が必要とする高さ方向の縦幅を求めて、この縦幅分だけ波形表示ウィンドウ１０１を振幅方向に縮小して表示するので、波形表示ウィンドウ１０１、解析結果表示ウィンドウ１０２を重ねずに上下に整列して表示することができる。これにより、ユーザが頻繁に解析結果の項目数を変更しても、波形データの波形、軸データ、解析結果が重なることがない。また、波形データが振幅方向に不必要に縮小されることがない。従って、波形データと解析結果とを同時に表示しても、波形データ、解析結果が見やすく、波形観測・解析を容易に行うことができる
【００３９】
［第２の実施例］
図４は本発明の第２の実施例を示す構成図である。ここで、図１と同一のものは同一符号を付し、説明を省略する。図４において、設定部５０の代わりに設定部７０が設けられる。設定部７０は、設定部５０と同様にボタンやロータリーノブ等であり、ユーザがこれらを操作することによって波形解析を行う項目の設定が行われ、各設定を表示処理部６０に出力する。さらに、波形データが表示される波形表示ウィンドウ１０２の振幅方向の幅を設定する。
【００４０】
また、表示処理部６０によって読み出し、格納が行われる幅情報メモリ８０が新たに設けられる。この幅情報メモリ８０は、記憶部であり、データ表示ウィンドウ１００内のウィンドウ１０１、１０２の振幅方向の幅に関する情報を記憶する。
【００４１】
このような装置の動作を説明する。また、図５、図６は、図４に示す装置における表示部４０の表示画面の表示例を示した図である。ここで、図２、図３と同一のものは同一符号を付し、説明を省略する。図５は、解析結果表示ウィンドウ１０２の高さ方向の縦幅を３行分に設定し解析結果が３行にわたって表示される例を示した図である。図６は、解析結果表示ウィンドウ１０２の高さ方向の縦幅を３行分に設定し、解析結果が５行にわたって表示される例を示した図である。
【００４２】
測定部１０の図示しないＡＤ変換器が、被測定波形をデジタル信号に変換し、波形データとしてアクイジョンメモリ２０に格納する。そして、表示処理部６０が、アクイジョンメモリ２０から波形データを読み出し、表示部４０の表示画面に各チャネルの波形データやチャネル間で演算した波形データ（例えば、チャネル１の波形データとチャネル２の波形データとを加算したもの）を波形表示する。
【００４３】
さらに、ユーザが設定部７０から波形データの波形解析の設定と、波形データが表示される波形表示ウィンドウ１０１の振幅方向の幅を設定する。具体的には、縮小する行数（例えば、「３」）を設定する。つまり、データ表示ウィンドウ１００の高さ方向の縦幅は決まっているので、行数が求まれば、一義的に波形表示ウィンドウ１０１の振幅方向の幅も決まる。設定部７０の設定に従って表示処理部６０の解析手段６１が、波形データ（演算後の波形データも含む）の波形解析を行う。また、表示処理部６０が設定された行数をメモリ８０に格納する。
【００４４】
そして、領域縮小手段６２が、メモリ８０から設定された行数を読み出し、この行数における解析結果表示ウィンドウ１０２の高さ求める。さらに求めた高さから波形表示ウィンドウ１０１を振幅方向に縮小して、データ表示ウィンドウ１００の上に合わせて波形表示ウィンドウ１０１を表示する。
【００４５】
一方、解析結果の項目をカウントして項目数を求める。そして、求めた項目数から解析結果の表示に実際に必要とする行数を求め、解析結果表示ウィンドウ１０２の大きさを決める。さらに、データ表示ウィンドウ１００の下に合わせて解析結果表示ウィンドウ１０２を表示する。なお、データ表示ウィンドウ１００の右に表示されるメニュー部分に、設定部７０によって設定された行数「３」を表示しておくと、ユーザが確認がしやすくなる。
【００４６】
例えば、図５では解析結果が、チャネル番号１、２それぞれの「P-P」、「Amp」、「Max」、チャネル番号１の「Min」、「High」、「Low」であり、項目数が９個となっている。従って、表示するのに必要な行数は３行分となる。この場合、波形表示ウィンドウ１０１、解析結果表示ウィンドウ１０２は重ならずに表示される。
【００４７】
図５では解析結果が、チャネル番号１の「P-P」、「Amp」、「Max」、「Min」、「High」、「Low」、「+Ovr」、「Rise」、「Fall」、「Freq」、「Prod」、「+Wd」、チャネル番号２の「P-P」、「Amp」、「Max」であり、項目数が１５個となるので５行分となる。設定部７０で設定される行数は３行なので、波形表示ウィンドウ１０１、解析結果表示ウィンドウ１０２は一部（２行分）が重なって表示される。
【００４８】
なお、図５では重なって表示されるが、波形表示ウィンドウ１０１の一番下の波形２００と解析結果は、重なっていない。つまり、波形表示ウィンドウ１０１で波形２００が表示されていないところに解析結果が重なって表示されたとしても、それ程見づらくはならない。それよりも、波形表示ウィンドウ１０１の波形データを振幅方向に大きく表示することができるほうがユーザにとって有用な場合がある。
【００４９】
このように、領域縮小手段６２が、設定部７０で設定される行数の幅に基づいて波形データが表示される波形表示ウィンドウ１０１を振幅方向に縮小して表示するので、ユーザの希望しない大きさに波形データの振幅方向が縮小されることがない。従って、波形データと解析結果とを同時に表示しても、波形観測・解析を容易に行うことができる
【００５０】
また、解析結果の項目数が多く、設定部７０で設定された行数よりも解析結果表示ウィンドウ１０２の高さ方向の縦幅が大きくなり波形表示ウィンドウ１０２と重なって表示されたとしても、波形表示ウィンドウ１０１の一番下の波形２００と解析結果は、重なっていない。つまり、波形表示ウィンドウ１０１で波形２００が表示されていないところに解析結果が重なって表示されたとしても、それ程見づらくはならない。それよりも、波形表示ウィンドウ１０１の波形データを振幅方向に大きく表示することができるほうが有用である。これにより、波形データが振幅方向に対して大きく表示され、波形観測・解析を容易に行うことができる
【００５１】
なお、本発明はこれに限定されるものではなく、以下のようなものでもよい。
図１、図４に示す装置において、波形解析の項目を１行あたり３項目とする構成を示したが、１行あたり何項目であってもよい。
【００５２】
また、図１、図４に示す装置において、波形解析する項目や、解析対象となる波形データはどのような項目、波形データであってもよい。
【００５３】
図４に示す装置において、設定部７０で波形表示ウィンドウ１０１の幅が設定される場合、表示処理部６０の領域縮小手段６２が、設定される幅に基づいて波形データが表示される波形表示ウィンドウ１０１を振幅方向に縮小して表示する構成を示した。しかし、設定部７０で波形表示ウィンドウ１０１の幅が設定されない場合、図１に示す装置と同様に、表示処理部６０の領域縮小手段６２が、表示部４０に表示される解析結果の項目数によって波形データが表示される波形表示ウィンドウ１０１を振幅方向に縮小してもよい。
【００５４】
また、図４に示す装置において、設定部７０が設定する行数を「３」に設定する例を示したが、何行でもよい。
【図面の簡単な説明】
【００５５】
【図１】本発明の第１の実施例を示した構成図である。
【図２】図１に示す装置における表示部４０の表示例を示した図である。
【図３】図１に示す装置における表示部４０のその他の表示例を示した図である。
【図４】本発明の第２の実施例を示した構成図である。
【図５】図４に示す装置における表示部４０の表示例を示した図である。
【図６】図４に示す装置における表示部４０のその他の表示例を示した図である。
【図７】従来の波形表示装置の構成図である。
【図８】波形解析を説明した図である。
【図９】図７示す装置における表示部４０の表示例を示した図である。
【図１０】図７示す装置における表示部４０のその他の表示例を示した図である。
【符号の説明】
【００５６】
４０  表示部
６２  領域縮小手段
７０  設定部
【図１】
2005227052.tif 000003
【図２】
2005227052.tif 000004
【図３】
2005227052.tif 000005
【図４】
2005227052.tif 000006
【図５】
2005227052.tif 000007
【図６】
2005227052.tif 000008
【図７】
2005227052.tif 000009
【図８】
2005227052.tif 000010
【図９】
2005227052.tif 000011
【図１０】
2005227052.tif 000012